(57)【要約】【課題】  従来の気送管内に付着した誘導放射性物質を除染する技術においては、気送管の内壁面に付着した誘導放射性物質を物理的な方法で自動的に除染できるようにすること。【解決手段】  気送管内に付着した誘導放射性物質を除染するシステムであって、略円柱状または略円筒状を呈するジャグ本体の外周面に金属製ブラシ体を突出させて設けた除染用ジャグを形成し、該除染用ジャグを気送管の内壁面に沿って気送させて該内壁面に付着した誘導放射性物質を前記金属製ブラシ体で削剥し、該削剥した誘導放射性物質を気送して回収することにより前記気送管内を除染することにより、気送管の内壁面に付着した誘導放射性物質を物理的な方法で自動的に除染できるようになる。【選択図】図２
2006112850.tif 000002
【特許請求の範囲】
【請求項１】
気送管内に付着した誘導放射性物質を除染するシステムであって、
略円柱状または略円筒状を呈するジャグ本体の外周面に金属製ブラシ体を突出させて設けた除染用ジャグを形成し、
該除染用ジャグを気送管の内壁面に沿って気送させて該内壁面に付着した誘導放射性物質を前記金属製ブラシ体で削剥し、
該削剥した誘導放射性物質を気送して回収することにより前記気送管内を除染すること
を特徴とする気送管内の誘導放射性物質除染システム。
【請求項２】
前記気送管には、
複数の接続切換手段を設けて気送管の接続を切り換えることができる構成にしたこと
を特徴とする請求項１に記載の気送管内の誘導放射性物質除染システム。
【請求項３】
前記気送管には、
除害化装置を設けたこと
を特徴とする請求項１または２に記載の気送管内の誘導放射性物質除染システム。
【請求項４】
前記気送管内には、
摩擦抵抗を低減させ滑りを良くするためにフッ素化ガスを封入させたこと
を特徴とする請求項１乃至３のいずれかに記載の気送管内の誘導放射性物質除染システム。
【発明の詳細な説明】
【技術分野】
【０００１】
本発明は、例えば、放射性物質を収納した搬送用ジャグを気送したことにより該搬送用ジャグを形成するポリエチレン等の樹脂が気送管内に付着した際に、該放射性を帯びた樹脂（以下誘導放射性物質という）を金属製ブラシ体を用いて自動的且つ物理的に除染できるようにする気送管内の誘導放射性物質除染システムに関するものである。
【背景技術】
【０００２】
ウラン、プラセオジム、アメリシウム、キュリウム、セシウム、ストロンチウム、コバルト、マンガンまたはニッケル等の放射性物質を施設内等で搬送する場合には、例えば、該放射性物質を搬送用ジャグ等に収納して気送管内を気送する方法が用いられている。
【０００３】
しかし、搬送用ジャグ内に放射性物質が収納された状態で気送管内を気送すると、該搬送用ジャグは、一般的にポリエチレン等の樹脂で形成されているため、該搬送用ジャグと気送管の内壁面とが接触した際に、該搬送用ジャグの樹脂が擦れてその一部が気送管の内壁面に付着することがある。
【０００４】
この気送管の内壁面に付着した樹脂は、搬送用ジャグ内に放射性物質が収納されているため、該放射性物質に誘導されて放射性を帯びた樹脂（誘導放射性物質）になっており、この誘導放射性物質が付着したままの状態で長期間気送管を使用することは、環境上好ましくないことから、所定の期間毎に各種の化学的または物理的な方法で除染されている。
【０００５】
従来、この種の技術としては、例えば、配管，機器，設備等の除染対象物内に付着した放射性同位元素を有機酸または酸化剤と有機酸により化学除染した後、前記除染対象物内の残留不溶解物を磁気捕集して除去する放射能汚染除去方法があり、保持部材にゴム，ブラシ等の磁性体を取付けた放射能汚染除去装置がある（特許文献１参照）。
【０００６】
この特許文献１の公知技術においては、化学除染後に残留する不溶解物を、配管，バルブなどの開口が狭い部分でも効率よく除去し、磁気による捕集除去をすることで汚染対象物の乾，湿，水の有無に関係なく捕集でき、捕集手段も選択肢が限定されず、放射線被曝の低減に寄与できるというものである。
【０００７】
【特許文献１】特開２０００−２１４２９３号公報
【発明の開示】
【発明が解決しようとする課題】
【０００８】
しかしながら、前記特許文献１の公知技術においては、長尺棒状保持部材にブラシ等の磁性体を取付けた構成であるが、このブラシを設けた目的としては、細管や弁箱等の細部とか狭域部にまで入り込ませてより確実に不溶解物を除去することができるようにするというものであり、また、このブラシは長尺棒状保持部材に取り付けられており、該長尺棒状保持部材を持って手動等で除染作業を行うものであって、気送管内でブラシを気送させて自動的に除染作業を行えるというものではない。
【０００９】
従って、従来の気送管内に付着した誘導放射性物質を除染する技術においては、気送管の内壁面に付着した誘導放射性物質を物理的な方法で自動的に除染できるようにするということに解決しなければならない課題を有している。
【課題を解決するための手段】
【００１０】
上記した従来例の課題を解決する具体的な手段として本発明に係る気送管内の誘導放射性物質除染システムは、気送管内に付着した誘導放射性物質を除染するシステムであって、略円柱状または略円筒状を呈するジャグ本体の外周面に金属製ブラシ体を突出させて設けた除染用ジャグを形成し、該除染用ジャグを気送管の内壁面に沿って気送させて該内壁面に付着した誘導放射性物質を前記金属製ブラシ体で削剥し、該削剥した誘導放射性物質を気送して回収することにより前記気送管内を除染することを最も主要な特徴とする。
【００１１】
この発明において、前記気送管には、複数の接続切換手段を設けて気送管の接続を切り換えることができる構成にしたこと；前記気送管には、除害化装置を設けたこと；前記気送管内には、摩擦抵抗を低減させ滑りを良くするためにフッ素化ガスを封入させたこと；を付加的な要件として含むものである。
【発明の効果】
【００１２】
本発明に係る気送管内の誘導放射性物質除染システムは、気送管内に付着した誘導放射性物質を除染するシステムであって、略円柱状または略円筒状を呈するジャグ本体の外周面に金属製ブラシ体を突出させて設けた除染用ジャグを形成し、該除染用ジャグを気送管の内壁面に沿って気送させて該内壁面に付着した誘導放射性物質を前記金属製ブラシ体で削剥し、該削剥した誘導放射性物質を気送して回収することにより前記気送管内を除染することにより、金属製ブラシ体を設けた除染用ジャグと該除染用ジャグにより削剥された誘導放射性物質とが自動的に気送管内を気送されるため、気送管の内壁面に付着した誘導放射性物質を物理的に自動的に除染することができるという優れた効果を奏する。
【発明を実施するための最良の形態】
【００１３】
次に、本発明を具体的な実施の形態に基づいて詳しく説明する。
本発明の実施の形態に係る気送管内の誘導放射性物質除染システムを図１乃至図５を用いて説明する。図１に、本発明の実施の形態に係る気送管内の誘導放射性物質除染システム１のフローチャートを示し、図２に、気送管内の誘導放射性物質除染システム１に用いる除染用ジャグの略示的な断面図を示し、図３に、該除染用ジャグの略示的な正面図を示し、図４に、気送管内の誘導放射性物質除染システムの略示的な構成図を示し、図５に、気送管内を気送させる除染用ジャグのルート図を示してある。
【００１４】
気送管内の誘導放射性物質除染システム１は、気送管３１の内壁面に付着した誘導放射性物質、例えば、ウラン、プラセオジム、アメリシウム、キュリウム、セシウム、ストロンチウム、コバルト、マンガンまたはニッケル等の放射性物質を搬送用ジャグ等に収納して気送管３１内を気送したことにより気送管３１の内壁面に付着した誘導放射性物質ｆ１を自動的且つ物理的に除染できるようにするシステムである。
【００１５】
気送管３１内の誘導放射性物質除染システム１においては、例えば、図２及び図３に示した除染用ジャグ２を用いる。該除染用ジャグ２は、例えば、略円柱状または略円筒状を呈するジャグ本体３と、該ジャグ本体３の外周面に突出させて設けられた金属製ブラシ体４とからなる。
【００１６】
この金属製ブラシ体４としては、例えば、ステンレス等の金属を直径が略０．０２ｍｍ〜０．１ｍｍ程度、好ましくは直径が略０．０４ｍｍ〜０．０６ｍｍ程度のワイヤ状にしたものを用いることができ、ジャグ本体３の外周面に植設または図２に示したように金属製ブラシ体４を略コの字状支持体５に支持させて該支持体５をジャグ本体３の外周面に螺旋状に巻回させて金属製ブラシ体４を設けても良い。
【００１７】
この金属製ブラシ体４を支持体５に支持させ、該支持体５をジャグ本体３の外周面に螺旋状に巻回させて金属製ブラシ体４を設ける場合には、例えば、ジャグ本体３を本体部６と、ナット部７とに分割できるように形成し、これら本体部６とナット部７とを螺着させて金属製ブラシ体４を支持する支持体５を固定するようにしても良く、螺旋状に巻回させる支持体５のギャップを略０．５ｍｍ程度設けることが良い。この際、本体部６とナット部７とのそれぞれに当接するところに、スペーサ８を設けて支持体５の固定が容易になるようにすることが好ましく、また、本体部６の外周面に円筒状の支持台９を配設させても良い。
【００１８】
ジャグ本体３の内部には、空洞部１０を設けて除染用ジャグ２を軽量化して気送を容易に行えるようにすることが好ましく、更に、この空洞部１０には、例えば、端部に栓１１を螺着させて封止し、その内部に削剥した誘導放射性物質が入らないようにすることが好ましい。
【００１９】
また、ジャグ本体３には、両端部に金属製ブラシ体４の外周径、即ち該ジャグ本体３の外周面に突出させて設けられた金属製ブラシ体４の外周径（外周面）より小径のテーパー部１２を形成させることが好ましい。このようにジャグ本体３の両端部に金属製ブラシ体４の外周径より小径のテーパー部１２を形成させることにより、気送管３１内で除染用ジャグ２を気送させる際に、該除染用ジャグ２と気送管３１の内壁との接触抵抗を減少させることができると共に、テーパー部１２が金属製ブラシ体４の外周径より小径であるため、該金属製ブラシ体４による誘導放射性物質の削剥の妨げにはならないのである。
【００２０】
そして、気送管３１内で図示していない搬送用ジャグを気送させる方法、例えば、図示していない真空ポンプ等により気送管３１内の空気を吸引等する方法と同様にして除染用ジャグ２を気送管３１の内壁面に沿って気送ｆ２させる。この際、除染用ジャグ２は気送管３１内で回転しながら気送されるため、該除染用ジャグ２の移動・回転によって気送管３１の内壁面に付着した誘導放射性物質を該除染用ジャグ２に設けた金属製ブラシ体４で削剥させるｆ３ことができる。
【００２１】
前記削剥させた誘導放射性物質は、除染用ジャグ２を気送させる空気圧により、該除染用ジャグ２と共に気送管３１内を気送させることができるため、前記削剥させた誘導放射性物質を気送して容易に回収ｆ４することができ、前記気送管３１内を容易に除染することができるのである。この際、該気送管３１の所定の位置に、高性能フィルタとして、例えば、ハロゲンフィルタ、ヘパフィルタまたはデオライト系フィルタ等の除害化装置３２を用い、前記誘導放射性物質を除害化して回収することにより、前記前記削剥した誘導放射性物質が人体等に影響を与えないようにすることが好ましい。
【００２２】
気送管３１内を気送させる除染用ジャグ２のルートとしては、図５に示したように、気送管３１内全体を複数回にわたり周回させるルートａ１、ａ２に限るものではなく、例えば、気送管３１の周回ルートに連結する除染用ルートを形成したルートｂ１、ｂ２や、気送管３１内における誘導放射性物質が付着したところのみを除染するルートｃ１、ｃ２等のルートであっても良い。
【００２３】
この際、気送管３１に、例えば、ダイバータ等の接続切換手段３３を複数設け、該接続切換手段３３を用いて前記気送管３１の接続を切り換えることによって、前記気送管３１内を気送させる除染用ジャグ２のルートを選択できるようにしても良い。
【００２４】
以上説明したように、除染用ジャグ２のジャグ本体３の外周面に突出させて金属製ブラシ体４を設け、前記除染用ジャグ２を気送管３１の内壁面に沿って気送させることによっれ該内壁面に付着した誘導放射性物質を前記金属製ブラシ体４で削剥し、該削剥した誘導放射性物質を気送させて回収することにより前記気送管３１内を除染することが容易に自動的にできるようになるのである。
【００２５】
更に、除染用ジャグ２により気送管３１内の除染を行う際、該気送管３１内には、例えば、フッ素化ガス注入装置３４等を設けてフッ素化ガスを封入させても良く、このように気送管３１内に該フッ素化ガスを封入させておくことにより、ウラン等の誘導放射性物質の除染を容易にすることができるようになる。このフッ素化ガスとしては、例えば、ＣｌＦ３等のフッ素化ガスを用いることができる。
【００２６】
また、気送管３１内に前記フッ素化ガスを封入させた場合には、気送管３１の内壁面に該フッ素化ガスが付着することにより、除染用ジャグ２または搬送用ジャグとの摩擦抵抗が低減して滑りが良くなるので、これら除染用ジャグ２または搬送用ジャグの気送速度を速くすることができるようになるため、被爆を低減させることができると共に、図示していない排気用ファンの容量を低減させることができるようになる。
【００２７】
そして、気送管３１にフッ素化ガス注入装置３４等を設けて該気送管３１内にフッ素化ガスを封入させた場合には、前記気送管３１の所定の位置にウラン・ガス回収装置３５を設け、前記フッ素化ガスにより剥離させたウラン等の誘導放射性物質と該フッ素化ガスとを回収することが好ましい。なお、このウラン・ガス回収装置３５は、別々に設けても良く、その場合には、まずウラン等の誘導放射性物質を回収した後、フッ素化ガスを回収するようにすれば良い。
【００２８】
これらウラン・ガス回収装置３５と除害化装置３２とを介して気送管３１内のガスを排気装置３６を用いて排気することにより、該排気されたガスを除染したクリーンな状態に維持して人体等に影響を与えないようにすることができるのである。
【００２９】
なお、除染用ジャグ２における金属製ブラシ体４は、必ずしもジャグ本体３の外周面の全体に設けなければならないというものではなく、例えば、図６に示したように、除染用ジャグ２１のジャグ本体３の略中央部にブッシュ２２を配設して該ジャグ本体３の両端部寄りに金属製ブラシ体４を設けるようにしても良い。
【００３０】
更に、本発明に係る気送管３１内の誘導放射性物質除染システムにおいては、前記除染用ジャグ２の換わりに、例えば、搬送用ジャグに金属製ブラシ体を設け、これを気送管３１内で気送させて除染するようにしても良い。
【図面の簡単な説明】
【００３１】
【図１】本発明の実施の形態に係る気送管内の誘導放射性物質除染システムのフローチャートである。
【図２】同気送管内の誘導放射性物質除染システムに用いる除染用ジャグを略示的に示した断面図である。
【図３】同気送管内の誘導放射性物質除染システムに用いる除染用ジャグの略示的な正面図である。
【図４】同気送管内の誘導放射性物質除染システムを略示的に示した構成図である。
【図５】同気送管内の誘導放射性物質除染システムにおける気送管内を気送させるルートの一例を示した除染用ジャグのルート図である。
【図６】同気送管内の誘導放射性物質除染システムに用いる除染用ジャグの他の実施例を略示的に示した断面図である。
【符号の説明】
【００３２】
１  気送管内の誘導放射性物質除染システム
２、２１  除染用ジャグ
３  ジャグ本体
４  金属製ブラシ体
５  略コの字状支持体
６  本体部
７  ナット部
８  スペーサ
９  支持台
１０  空洞部
１１  栓
１２  テーパー部
２２  ブッシュ
３１  気送管
３２  除害化装置
３３  接続切換手段
３４  フッ素化ガス注入装置
３５  ウラン・ガス回収装置
３６  排気装置
【図１】
2006112850.tif 000003
【図２】
2006112850.tif 000004
【図３】
2006112850.tif 000005
【図４】
2006112850.tif 000006
【図５】
2006112850.tif 000007
【図６】
2006112850.tif 000008